(57)【要約】【課題】本発明は、使用者の利便性を向上できる通信装置を提供することを目的とする。【解決手段】デジタルカメラ１０は、外部装置３と通信可能であって、第２の認証情報を受け付けるコントローラー５０と、第１の認証情報と、コントローラー５０によって受け付けた第２の認証情報と、を記憶可能なフラッシュメモリ４１と、外部装置３に対するアクセス許可を得る際に、フラッシュメモリ４１に記憶されている第１の認証情報を読み出して、この読み出した第１の認証情報を外部装置３に送信し、外部装置３に第１の認証情報を送信した結果、アクセス許可を得た場合、外部装置３とのアクセスを確立する一方、アクセス許可を得られなかった場合、フラッシュメモリ４１に記憶されている第２の認証情報を読み出して、この読み出した第２の認証情報を外部装置３に送信する、コントローラー５０と、を備える。【選択図】図４
2009224938.tif 000002
【特許請求の範囲】
【請求項１】
第１の期間において、第１の認証情報を受信すると、その情報の送信元に対してアクセス許可を与え、前記第１の期間よりも後に続く第２の期間において、第２の認証情報を受信すると、その情報の送信元に対してアクセス許可を与える外部装置と通信可能な通信装置であって、
前記第２の認証情報を受け付ける受付手段と、
前記第１の認証情報と、前記受付手段によって受け付けた前記第２の認証情報と、を記憶可能な記憶手段と、
前記外部装置に対するアクセス許可を得る際に、前記記憶手段に記憶されている第１の認証情報を読み出して、前記読み出した第１の認証情報を前記外部装置に送信し、前記外部装置に前記第１の認証情報を送信した結果、
前記アクセス許可を得た場合、前記外部装置とのアクセスを確立する一方、
前記アクセス許可を得られなかった場合、前記記憶手段に記憶されている第２の認証情報を読み出して、前記読み出した第２の認証情報を前記外部装置に送信する、通信制御手段と、を備える、
通信装置。
【請求項２】
前記記憶手段は、
前記通信制御手段が、前記外部装置に前記第２の認証情報を送信した結果、前記アクセス許可を得た場合、前記第２の認証情報として記憶されている内容を、前記第１の認証情報として記憶する、
請求項１に記載の通信装置。
【請求項３】
前記外部装置に対するアクセス許可ができないことを使用者に知らせる警告手段をさらに備え、
前記記憶手段は、
前記通信制御手段が、前記外部装置に前記第１および前記第２の認証情報を送信した結果、前記アクセス許可を得られなかった場合、当該アクセス許可が得られなかった旨を示す情報を記憶し、
前記通信制御手段は、
前記アクセス許可が得られなかった旨を示す情報が記憶手段に記憶されている場合、前記外部装置に認証情報を送信することなく、前記警告手段を制御して、使用者にアクセス許可ができないことを知らせる、
請求項１または２に記載の通信装置。
【発明の詳細な説明】
【技術分野】
【０００１】
本発明は、外部装置と通信可能な通信装置に関する。本発明は、例えば、無線通信機能を備えたデジタルカメラやパーソナルコンピュータなどに適用できる。
【背景技術】
【０００２】
近年、無線通信機能付きデジタルカメラや携帯電話などの通信装置が開発されている。このような通信装置は、外部装置と直接または間接的に接続される通信部を備え、外部装置と接続された状態で、外部装置から提供されるサービスにアクセスを可能にしたものである。
【０００３】
ここで通信装置と接続される外部装置には、特定の期間において特定の使用者が利用した通信装置に限ってアクセスを許可するものがある。例えば、特許文献１に記載された外部装置では、特定の期間において特定の使用者が利用した通信装置に限ってアクセス許可を与えるため、記憶媒体に、特定の期間内に限り有効となる認証情報（例えば、ＩＤ・パスワードなど）を記憶している。これによって特許文献１の外部装置では、通信装置から認証情報を受信すると、受信した認証情報と記憶された認証情報が一致するか否かを判定し、一致した場合に限って、通信装置にアクセス許可を与えるようにしている。
【０００４】
したがって近年の通信装置は、このような外部装置に対するアクセス許可を得るため、外部装置に認証情報を送信できるように構成されている。
【０００５】
なお、通信装置には、使用者の利便性を向上するために、一つの認証情報を記憶媒体に記憶できるようにしたものが存在する。このようにすれば、使用者は、外部装置と通信を行なう際に、逐次認証情報を入力する必要がなくなる。
【特許文献１】特開２００２−２３６６６３号公報
【発明の開示】
【発明が解決しようとする課題】
【０００６】
しかしながら、一つの認証情報を記憶可能な通信装置では、一つの認証情報を記憶することしかできない。そのため、特定の使用者に対して、例えば図１のような、第１の期間内１００において有効となる第１の認証情報と、第２の期間内２００において有効となる第２の認証情報とが与えられた場合、下記の問題が発生する。
【０００７】
通信装置に第１の認証情報が記憶されており、使用者に第２の認証情報が与えられた場合であって、使用者が第２の認証情報を第１の期間が過ぎた後に利用したい場合、使用者は、第１の期間が過ぎるまで、第２の認証情報を保持しておかなければならない。
【０００８】
また、通信装置に第２の認証情報を記憶媒体などに記憶できたとしても、第１の認証情報の第１の期間が過ぎた後に、再度、入力しなおさなければならない。
【０００９】
そこで本発明は、上記課題を解決すべく、使用者の利便性を向上できる通信装置を提供することを目的とする。
【課題を解決するための手段】
【００１０】
本発明の通信装置は、外部装置と通信可能である。この外部装置は、第１の期間において、第１の認証情報を受信すると、その情報の送信元に対してアクセス許可を与え、前記第１の期間よりも後に続く第２の期間において、第２の認証情報を受信すると、その情報の送信元に対してアクセス許可を与えるものである。
【００１１】
そして、本発明の通信装置は、前記第２の認証情報を受け付ける受付手段と、前記第１の認証情報と、前記受付手段によって受け付けた前記第２の認証情報と、を記憶可能な記憶手段と、前記外部装置に対するアクセス許可を得る際に、前記記憶手段に記憶されている第１の認証情報を読み出して、前記読み出した第１の認証情報を前記外部装置に送信し、前記外部装置に前記第１の認証情報を送信した結果、前記アクセス許可を得た場合、前記外部装置とのアクセスを確立する一方、前記アクセス許可を得られなかった場合、前記記憶手段に記憶されている第２の認証情報を読み出して、前記読み出した第２の認証情報を前記外部装置に送信する、通信制御手段と、を備える。
【００１２】
このようにすれば、第１の認証情報の第１の期間が過ぎる前に、第２の認証情報を記憶手段に記憶できる。また、第１の認証情報の第１の期間が過ぎた後に、自動的に第２の認証情報を利用して、外部装置に対するアクセス許可を得ることができる。
【００１３】
また、好ましくは、前記記憶手段は、前記通信制御手段が、前記外部装置に前記第２の認証情報を送信した結果、前記アクセス許可を得た場合、前記第２の認証情報として記憶されている内容を、前記第１の認証情報として記憶する。
【００１４】
このようにすれば、第１の期間が過ぎることによって、利用できなくなった第１の認証情報が、再度、アクセス確立のために利用されるのを防ぐことができる。
【００１５】
また、好ましくは、前記外部装置に対するアクセス許可ができないことを使用者に知らせる警告手段をさらに備える。そして、前記記憶手段は、前記通信制御手段が、前記外部装置に前記第１および前記第２の認証情報を送信した結果、前記アクセス許可を得られなかった場合、当該アクセス許可が得られなかった旨を示す情報を記憶し、前記通信制御手段は、前記アクセス許可が得られなかった旨を示す情報が記憶手段に記憶されている場合、前記外部装置に認証情報を送信することなく、前記警告手段を制御して、使用者にアクセス許可ができないことを知らせる。
【００１６】
このようにすれば、一度外部装置に出力されてアクセスが拒否された認証情報が、再度、外部装置に出力されるのを防止できる。これによって、無駄な通信を行なうことなく、使用者に、アクセスが確立できないことを知らせることができる。
【発明の効果】
【００１７】
本発明によれば、第１の認証情報および第２の認証情報を記憶手段に記憶できるようにしたので、使用者は、第１の認証情報が記憶手段に記憶されている場合であって、第２の認証情報が与えられた場合、通信装置に入力しておくことができる。また、第１の認証情報の第１の期間が過ぎた後に、自動的に第２の認証情報を利用して、外部装置に対するアクセス許可を得るようにしたので、使用者は、記憶された第２の認証情報を第１の認証情報と切り替える必要がなくなる。すなわち、本発明の通信装置によれば、使用者の利便性を向上できる。
【発明を実施するための最良の形態】
【００１８】
（実施の形態１）
以下、本発明の一実施の形態に係る通信装置を説明する。実施の形態１は、通信装置をデジタルカメラ１０として説明する。
【００１９】
デジタルカメラ１０は、図２に示すように、インターネット２を介して外部装置３と通信可能である。インターネット２とデジタルカメラ１０は、インターネット２の末端に設けられたアクセスポイント４と、無線ＬＡＮ通信部９０とが無線通信を行なうことによって、接続可能である。これによってデジタルカメラ１０は、外部装置３と通信を可能にしている。
【００２０】
ここで外部装置３は、デジタルカメラ１０に対して何らかのサービスを提供するものである。また、外部装置３は、認証機能を備え、特定の期間内において特定の人物が利用した通信装置２に、サービスを提供できるようにしたものである。したがって外部装置３は、例えば、ＣＰＵ、ＲＡＭ、ＲＯＭ、タイマなどを備えるコンピュータによって実現できる。タイマは、水晶などによって構成され、現在時間を計時する計時手段である。
【００２１】
具体的に外部装置３は、ＩＤ，パスワード、期間を有する情報がＲＯＭに記憶されている。例えば、図３に示すようなテーブル５の情報がＲＯＭに記憶されている。そして外部装置３（ＣＰＵ）は、デジタルカメラ１０などからＩＤとパスワードを受信すると、ＲＯＭから図３に示すようなテーブル５の情報をＲＡＭに読み出して、受信したＩＤとパスワードが読み出したテーブルのＩＤ、パスワードと一致するか否かを判別する。
【００２２】
ここで外部装置３（ＣＰＵ）は、ＩＤが一致しない場合、又は、ＩＤが一致し、パスワードが一致しない場合、アクセス不正通知を、デジタルカメラ１０に出力する。一方、ＩＤ・パスワード共に一致した場合、タイマによって計時されている現在時間が、ＩＤ・パスワードが一致した認証情報の期間に含まれるか否かを判別する。外部装置３（ＣＰＵ）は、期間に含まれる場合、アクセス許可通知を、デジタルカメラ１０に出力する。また外部装置３（ＣＰＵ）は、期間に含まれない場合、アクセス失効通知を、デジタルカメラ１０に出力する。
【００２３】
要するに、外部装置は、通信装置から認証情報が入力されて認証を行い、認証結果に応じて、アクセス許可通知、アクセス不正通知、およびアクセス失効通知のような情報が通信装置に出力されるものであれば、どのような外部装置であってもよい。
【００２４】
以下、デジタルカメラ１０の構成について図面を参照して説明する。
【００２５】
１．構成
図４は、本発明の実施の形態１にかかるデジタルカメラ１０の構成を示すブロック図である。
【００２６】
光学系２０は、被写体からの光学信号を集光してＣＣＤイメージセンサー２１上に被写体像を形成する。ＣＣＤイメージセンサー２１は、被写体像を撮像して画像データを生成する撮像素子である。撮像素子としては、ＣＣＤイメージセンサー２１に替えてＣＭＯＳイメージセンサー等を用いることもできる。ＡＤコンバーター２２は、ＣＣＤイメージセンサー２１で生成された画像データをデジタル変換する。
【００２７】
画像処理部３０は、デジタル化された画像データに対して所定の処理を施す。所定の処理としては、ガンマ変換、ＹＣ変換、電子ズーム処理、圧縮処理、伸張処理など考えられるが、これに限定されるものではない。
【００２８】
バッファメモリ４０は、画像処理部３０で画像処理を行う際、及び、コントローラー５０で制御処理を行う際に、ワークメモリとして作用する。バッファメモリ４０は、例えば、ＤＲＡＭなどで実現可能である。
【００２９】
フラッシュメモリ４１は、内蔵メモリとして用いられる。フラッシュメモリ４１は、画像データの他に、コントローラー５０の制御のためのプログラムや設定値などを記憶可能である。
【００３０】
またフラッシュメモリ４１は、図５のように、第１の期間内に有効となる第１の認証情報（ＩＤ・パスワード）と、第２の期間内に有効となる第２の認証情報（ＩＤ・パスワード）とを記憶可能である。本発明の記憶手段は、フラッシュメモリで実現可能である。
【００３１】
ここで第１の期間内と第２の期間内の関係について説明する。第１と第２の期間の関係は、第２の期間が第１の期間よりも後に続くことをいう。例えば、図１に示すような、第２の期間２００、２０１、２０２、２０３がこの第２の期間に当たる。第２の期間２０１は、第１の期間と重複する期間を持つものであり、期間の始まりが、第１の期間の始まりよりも遅いものである。第２の期間２０２は、期間の始まりと第１の期間の終わりとの間に空白の期間を有するものである。第２の期間２０３は、第１の期間と重複する期間を持つものであり、期間の始まりが第１の期間よりも早い。すなわち、第２の期間は、期間の終わりが第１の期間の終わりよりも後であればよい。
【００３２】
コントローラー５０は、デジタルカメラ１０全体を制御するための制御手段である。コントローラー５０はマイクロコンピューターで実現してもよく、ハードワイヤードな回路で実現してもよい。要するに、本発明の制御手段は、自装置を制御できるものであればよい。
【００３３】
カードスロット６０は、メモリカード６１を着脱するためのスロットである。カードスロット６０は、メモリカード６１を制御する機能を有するようにしてもよい。メモリカード６１は、フラッシュメモリなどを内蔵する。メモリカード６１は、撮像画像データ等を格納可能である。
【００３４】
液晶モニタ７０は、画像データ、デジタルカメラ１０の各種の設定、秘匿情報を含む各種情報の表示に用いる情報表示画面等を表示する表示手段である。本発明の表示手段としては、液晶モニタ７０に替えて、有機ＥＬディスプレイなどを用いることもできる。
【００３５】
操作部８０は、デジタルカメラ１０の外装に取り付けられた操作部材の総称である。操作部８０としては、十字キーや押下釦等が考えられる。
【００３６】
無線ＬＡＮ通信部９０は、無線ＬＡＮ通信を実現するための通信手段である。無線ＬＡＮ通信部９０は、モジュール化されている場合が多いが、コントローラー５０の一部として構成してもよい。
【００３７】
図６は、デジタルカメラ１０の上面図である。モードダイヤル８１は、デジタルカメラ１０の動作モードを切り替える操作を受け付けるモード切替手段である。デジタルカメラ１０には無線ＬＡＮ通信モードを含む複数の動作モードが割り当てられている。すなわち、モードダイヤル８１は、無線ＬＡＮ通信モードを含む複数の動作モードの中から選択していずれかに切り替える操作を受け付けるものである。また、使用者がモードダイヤル８１を回転することにより、コントローラー５０はモード切替操作を受け付ける。
【００３８】
より具体的に説明する。図２に示すように、モードダイヤル８１には、「無線ＬＡＮ通信モード」、「再生モード」、「録画モード」、「動画モード」が割り当てられている。
【００３９】
コントローラー５０は、使用者によりモードダイヤル８１が「無線ＬＡＮ通信モード」に設定されると、図７のような通信開始画面を液晶モニタ７０に表示させる。
【００４０】
無線ＬＡＮモードの通信開始画面が液晶モニタ７０に表示された後、使用者が操作部８０を操作することによって、「ＩＤ・パスワード設定」が選択されると、コントローラー５０は、図８のようなＩＤ・パスワード設定画面を液晶モニタ７０に表示させ、使用者に対してＩＤ・パスワードの入力を促す。この場合、使用者が操作部８０を操作することによってパスワードが入力されると、コントローラー５０は、ＩＤ・パスワードの入力を受け付ける。要するに、コントローラー５０が、受付手段である。なお、本発明の受付手段は、使用者からＩＤ・パスワードなどの第２の認証情報の入力を受け付けることができるものであればよい。その後コントローラー５０は、受け付けたＩＤ・パスワードを、第２の認証情報としてフラッシュメモリ４１に記憶させる。これによって、受付手段で入力を受け付けた、第２の認証情報を記憶手段に記憶できる。
【００４１】
一方、無線ＬＡＮモードの通信開始画面が液晶モニタ７０に表示された後、使用者が操作部８０を操作することによって、「通信開始」が選択されると、コントローラー５０は、アクセス確立処理を行う。要するに、コントローラー５０は、通信制御手段である。
【００４２】
コントローラー５０は、フラッシュメモリ４１に記憶されている第１の認証情報を読み出して、この読み出した第１の認証情報を外部装置３に送信する。そして、外部装置３に第１の認証情報を送信した結果、アクセス許可を得た場合（アクセス許可通知を受け取った場合）、外部装置３とのアクセスを確立する。
【００４３】
一方、コントローラー５０は、外部装置３に第１の認証情報を送信した結果、アクセス許可を得られなかった場合、フラッシュメモリ４１に記憶されている第２の認証情報を読み出して、この読み出した第２の認証情報を前記外部装置に送信する。
【００４４】
さらに、コントローラー５０は、外部装置３に第２の認証情報を送信した結果、アクセス許可を得た場合、記憶手段に、第２の認証情報として記憶された内容を、第１の認証情報として記憶させる。すなわち、フラッシュメモリ４１は、第２の認証情報として記憶された内容を、第１の認証情報として記憶する。このようにすれば、第１の期間が過ぎることによって、利用できなくなった第１の認証情報が、再度、アクセス確立のために利用されるのを防ぐことができる。
【００４５】
加えて、コントローラー５０は、外部装置３に第１または前記第２の認証情報を送信した結果、アクセス許可を得られなかった場合、アクセス許可が得られなかった旨を示す情報を記憶手段に記憶させる。また、コントローラー５０は、アクセス許可が得られなかった旨を示す情報が記憶手段に記憶されている場合、外部装置３に認証情報を送信することなく、液晶モニタ７０に、使用者にアクセス許可ができないことを知らせるための表示画面を表示させる。すなわち、本発明の警告手段は、液晶モニタ７０で実現可能である。
【００４６】
２．動作
以上のように構成されたデジタルカメラ１０において、使用者によって「通信開始」が選択された際の動作を、図９、１０を用いて説明する。図９は、アクセス確立処理の動作を説明するための図である。図１０は、警告処理の動作を説明するための図である。
【００４７】
まず、アクセス確立処理の動作について説明する。
【００４８】
コントローラー５０は、アクセス不許可情報がフラッシュメモリ４１に記憶されているか否かを判定する（Ｓ１）。ここでアクセス不許可情報については、後述する。そのため、アクセス不許可情報がフラッシュメモリ４１に記憶されていない場合の処理について、最初に説明する（Ｓ１Ｎｏ）。
【００４９】
コントローラー５０は、第１の認証情報（ＩＤ・パスワード）をフラッシュメモリ４１から読み出して、外部装置３に出力する（Ｓ２）。この際、外部装置３では、受け取った第１の認証情報に基づいて、デジタルカメラ１０にアクセス許可又はアクセス不正、アクセス失効通知等を行なう。
【００５０】
図９に戻って、コントローラー５０は、外部装置３からの通知を受け取ると、アクセス許可を得たか否かを判別する（Ｓ３）。
【００５１】
ステップＳ３において、外部装置３からアクセス許可通知を受け取った場合、コントローラー５０は、外部装置３とのアクセスの確立を行なう（Ｓ４）ここでいうアクセスの確立とは、特定の使用者に使用が限定され、かつ、外部装置から提供されるサービスに、通信装置のアクセスが可能になった状態のことをいう。これで、デジタルカメラ１０のアクセス確立処理を終了する。
【００５２】
一方、ステップＳ３において、外部装置３からアクセス不正通知又はアクセス失効通知などの通知を受け取った場合、コントローラー５０は、第２の認証情報がフラッシュメモリ４１に記憶されているか否かを判定する（Ｓ５）。
【００５３】
ステップＳ５において、第２の認証情報がフラッシュメモリ４１に記憶されていた場合、コントローラー５０は、第２の認証情報をフラッシュメモリ４１から読み出して、外部装置３に出力する（Ｓ６）。一方、ステップＳ５において、第２の認証情報がフラッシュメモリ４１に記憶されていない場合、コントローラー５０は警告処理を行う（Ｓ７）。
【００５４】
コントローラー５０によって第２の認証情報が外部装置３に出力されると、外部装置３は、受け取った第２の認証情報に基づいて、デジタルカメラ１０にアクセス許可又はアクセス不正、アクセス失効通知等を行なう。
【００５５】
図９に戻って、コントローラー５０は、外部装置３からの通知を受け取ると、アクセス許可を得たか否かを判別する（Ｓ８）。
【００５６】
ステップＳ８において、外部装置３からアクセス許可通知を受け取った場合、コントローラー５０は、第２の認証情報として記憶されたＩＤ・パスワードを、第１の認証情報として記憶手段に記憶させる（Ｓ９）。これによって、これ以降の通信は、第２の認証情報に記憶されていたＩＤ・パスワードによって、外部装置に対するアクセス確立処理を行うことができる。そのため、それ以降の処理を短縮できる。なお、この際必要ならば、第２の認証情報として記憶されたＩＤ・パスワードを消去するとよい。
【００５７】
図９に戻って、コントローラー５０は、ステップＳ９の後、外部装置３とのアクセスの確立を行なう（Ｓ１０）これで、デジタルカメラ１０のアクセス確立処理を終了する。
【００５８】
一方、ステップＳ８において、外部装置３からアクセス不正通知又はアクセス失効通知などの通知を受け取った場合、コントローラー５０は警告処理を行う（Ｓ７）。
【００５９】
次に、警告処理の動作について図１０を用いて説明する。
【００６０】
まず、コントローラー５０は、液晶モニタ７０に警告メッセージを表示させる（Ｔ１）。ここで液晶モニタ７０に表示される警告メッセージは、例えば、コントローラー５０が、外部装置３からアクセス失効通知を受け取った場合、図１１のような有効期限切れ画面に含まれるメッセージが表示される。また、例えば、コントローラー５０が、外部装置３からアクセス不正通知を受け取った場合、ＩＤまたはパスワードが間違っていることを知らせるメッセージが表示される。なお、警告メッセージを含む有効期限切れ画面には、認証情報の入力を促すような画面で構成されている。
【００６１】
そのため、使用者が操作部８０を操作することによって、有効期限切れ画面の「ＩＤ・パスワード設定画面へ」が選択されると、コントローラー５０は、図８のようなＩＤ・パスワード設定画面を液晶モニタ７０に表示させ、ＩＤ・パスワードの入力を受け付ける。
【００６２】
すなわち、コントローラー５０は、ステップＴ１において、ＩＤ・パスワードの入力を受け付けたか否かを判定する（Ｔ２）。
【００６３】
ステップＴ２において、ＩＤ・パスワードの入力を受け付けた場合、受け付けたＩＤ・パスワードを第１の認証情報として、フラッシュメモリ４１に記憶する（Ｔ３）。その後、コントローラー５０は、アクセス確立処理を行う（Ｔ４）。
【００６４】
一方、ステップＴ２において、ＩＤ・パスワードの入力を受け付けなかった場合、フラッシュメモリ４１に、アクセス不許可情報を記憶する。アクセス不許可情報は、外部装置に対して第１または第２の認証情報を送信した結果、アクセス許可が得られなかった場合のアクセス許可が得られなかった旨を判別可能な情報である。
【００６５】
ここでアクセス不許可情報の役割について具体的に説明する。アクセス不許可情報は、アクセスを確立するために出力された認証情報が、外部装置３によってアクセス許可を拒否された場合、同じ認証情報が、再度、デジタルカメラ１０から外部装置３に出力されることを防止するものである。例えば、デジタルカメラ１０が外部装置３にアクセス確立処理を行い、コントローラー５０がアクセス不正通知またはアクセス失効通知などを受け取った場合であって、外部装置３に出力されたＩＤ・パスワードが変更されていない場合に、フラッシュメモリ４１に記憶されるものである。
【００６６】
このようにフラッシュメモリ４１にアクセス不許可情報が記憶されることによって、コントローラー５０は、このアクセス不許可情報がフラッシュメモリ４１に記憶されているか否かを判別することができる（図９のＳ１）。そして、ステップ１において、アクセス不許可情報がフラッシュメモリ４１に記憶されていた場合、コントローラー５０は、警告処理を行う（Ｓ１２）。すなわち、アクセス確立処理において、外部装置に対してアクセスを確立するための識別情報の出力が必要なくなる。これによって、一度外部装置に出力されてアクセスが拒否された認証情報が、再度、外部装置に出力されるのを防止できる。
【００６７】
すなわち、アクセス不許可情報は、外部装置にアクセスができなかったことをコントローラー５０が判断できるものであれば、どのような情報であってもよい。
【００６８】
なお、アクセス不許可情報は、コントローラー５０が新しい認証情報の入力を受け付けた場合、フラッシュメモリ４１から消去するように構成するとよい。
【００６９】
これによって、警告・アクセス確立処理を終了する。
【００７０】
３．まとめ
上述したように、本実施の形態のデジタルカメラ１０は、外部装置３と通信可能であって、第２の認証情報を受け付けるコントローラー５０と、第１の認証情報と、コントローラー５０によって受け付けた第２の認証情報と、を記憶可能なフラッシュメモリ４１と、外部装置３に対するアクセス許可を得る際に、フラッシュメモリ４１に記憶されている第１の認証情報を読み出して、この読み出した第１の認証情報を外部装置３に送信し、外部装置３に第１の認証情報を送信した結果、アクセス許可を得た場合、外部装置３とのアクセスを確立する一方、アクセス許可を得られなかった場合、フラッシュメモリ４１に記憶されている第２の認証情報を読み出して、この読み出した第２の認証情報を外部装置３に送信する、コントローラー５０と、を備える。
【００７１】
したがって、本実施の形態によれば、第１の認証情報および第２の認証情報をフラッシュメモリ４１に記憶できるようにしたので、使用者は、第１の認証情報が記憶手段に記憶されている場合であって、第２の認証情報が与えられた場合、第２の認証情報をデジタルカメラに入力しておくことができる。また、第１の認証情報の第１の期間が過ぎた後に、自動的に第２の認証情報を利用して、外部装置に対するアクセス許可を得るようにしたので、使用者は、記憶された第２の認証情報を第１の認証情報と切り替えを行なう必要がなくなる。
【００７２】
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００７３】
本発明の実施の形態におけるデジタルカメラ１０は、外部装置３とインターネット２を介して接続するようにしたが、これに限られず、例えば、有線によって外部装置と直接または間接的に接続してもよいし、無線によって外部装置と直接または間接的に接続してもよい。要するに、通信装置は、外部装置と通信可能なものであればよい。
【００７４】
また、認証情報は、ＩＤ、パスワードを用いて説明したが、これに限られない。例えば、ＩＣカードに含まれる識別情報を用いてもよい。このようにした場合、ＩＣカードの識別情報を通信装置で読み取ることによって、第２の認証情報の入力が可能となる。要するに、認識情報は、第１の認証情報と第２の認証情報を異ならせることができるものであればよい。
【００７５】
さらに、本発明の実施の形態１では、フラッシュメモリ４１に、第１の認証情報と第２の認証情報を記憶するようにしたが、これに限られない。例えば、フラッシュメモリに第１の認証情報を記憶し、バッファメモリに第２の記憶情報を記憶するようにしてもよい。要するに、記憶手段は、別体に記憶するものであってもよい。したがって、カードスロットに着脱可能なメモリカードに記憶してもよい。
【００７６】
また、本発明の実施の形態１では、受け付けた第２の認証情報を、フラッシュメモリ４１に記憶させるようにしたが、上記で説明したように、これに限られない。
【００７７】
また、本発明の実施の形態１では、図８のようなＩＤ・パスワード設定画面を液晶モニタ７０に表示し、使用者が操作部８０を操作することによって、パスワードを入力するようにしたが、これに限られず、タッチパネルや接続可能に設けられるキーボードの操作によって入力するようにしてもよい。要するに、入力方法は、認証情報を入力できればどのような方法であってもよい。
【００７８】
加えて、本発明の実施の形態１では、図７のような無線ＬＡＮモードの通信開始画面が液晶モニタ７０に表示された後、使用者が操作部８０を操作することによって、「ＩＤ・パスワード設定」が選択されると、コントローラー５０は、図８のようなＩＤ・パスワード設定画面を液晶モニタ７０に表示させ、使用者に対してＩＤ・パスワードの入力を促すようにしたが、これに限られない。例えば、図７のような無線ＬＡＮモードの通信開始画面が液晶モニタ７０に表示された後、使用者が操作部８０を操作することによって、「通信開始」が選択されると、アクセス確立処理を行う前に、ＩＤ・パスワード設定画面を表示するようにしてもよい。この場合、第２の認証情報が記憶手段に記憶されていない時に、ＩＤ・パスワード設定を行なわせると好ましい。このようにすれば、使用者は、通信装置に、第２の認証情報が記憶されていないことを確認できる。これによって、第１の認証情報の有効期間が切れてしまう前に、第２の認証情報を外部装置のサービスを提供する事業者から取得することができる。
【００７９】
また、本実施の形態では、デジタルカメラのような撮像機能を有するものを例示したが、これに限られず、通信機能を備えるものであれば、どのような装置であってもよい。但し、本発明は、入力手段が充実していないような機器に特に有効なものである。
【００８０】
すなわち、本発明は上記実施の形態に限定されることなく、種々の態様で実施できる。
【産業上の利用可能性】
【００８１】
本発明は、外部装置と通信可能な通信装置に適用可能である。本発明は、例えば、無線通信機能を備えたデジタルカメラ、ムービー、カメラ機能付き携帯電話端末、パーソナルコンピュータなどに適用できる。
【図面の簡単な説明】
【００８２】
【図１】本発明の実施の形態にかかるデジタルカメラに利用される第１の認証情報と第２の認証情報の有効となる期間を説明するための図
【図２】本発明の実施の形態にかかるデジタルカメラと外部装置との通信経路を説明するための図
【図３】本発明の実施の形態にかかる外部装置の記憶媒体に記憶された、認証のための情報を説明するための図
【図４】本発明の実施の形態にかかるデジタルカメラの構成を示すブロック図
【図５】フラッシュメモリに記憶された第１と第２の認証情報の一例を説明するための図
【図６】本発明の実施の形態にかかるデジタルカメラの上面図
【図７】無線通信の通信開始画面の一例を示す図
【図８】ＩＤ・パスワードの設定画面の一例を示す図
【図９】本実施の形態に係るデジタルカメラのアクセス確立処理の動作を説明するためのフローチャート
【図１０】本実施の形態に係るデジタルカメラの警告処理の動作を説明するためのフローチャート
【図１１】使用者に警告するための有効期限切れ画面の一例を示す図
【符号の説明】
【００８３】
３    外部装置
１０    デジタルカメラ
２０    光学系
２１    ＣＣＤイメージセンサー
２２    ＡＤコンバーター
３０    画像処理部
４０    バッファメモリ
４１    フラッシュメモリ
５０    コントローラー
６０    カードスロット
６１    メモリカード
７０    液晶モニタ
８０    操作部
８１    モードダイヤル
９０    無線ＬＡＮ通信部
１００    第１の認証情報における第１の期間
２００、２０１、２０２、２０３    第２の認証情報における第２の期間
【図１】
2009224938.tif 000003
【図２】
2009224938.tif 000004
【図３】
2009224938.tif 000005
【図４】
2009224938.tif 000006
【図５】
2009224938.tif 000007
【図６】
2009224938.tif 000008
【図７】
2009224938.tif 000009
【図８】
2009224938.tif 000010
【図９】
2009224938.tif 000011
【図１０】
2009224938.tif 000012
【図１１】
2009224938.tif 000013